(57)【要約】【課題】簡単な構造によってコストダウンを図ることができるスカムスキマー及び沈殿槽を提供する。【解決手段】スカムスキマー２０は、スカムを内部に流入させるための流入孔２１ａが形成されたスカムパイプ２１と、流入孔２１ａを通じてスカムがスカムパイプ２１内部に流入するように、スカムパイプを管軸Ｂの回りで回動させる駆動装置２５と、を備え、駆動装置２５は、スカムパイプ２１に固定された固定チェーン３３と、この固定チェーン３３に噛み合って回転するピンギアスプロケット３９と、ピンギアスプロケット３９を回転させる駆動源３７と、を有することを特徴とする【選択図】図３
2007152287.tif 000002
【特許請求の範囲】
【請求項１】
排水の液面に浮遊するスカムを、前記液面に沿って水平に延在するスカムパイプに取り込んで前記液面から除去するスカムスキマーにおいて、
前記スカムを内部に流入させるための流入孔が形成された前記スカムパイプと、
前記流入孔を通じて前記スカムが前記スカムパイプの内部に流入するように、前記スカムパイプを管軸の回りで回動させるパイプ駆動装置と、を備え、
前記パイプ駆動装置は、
前記スカムパイプに固定され前記スカムパイプの回動方向に沿って設けられた被駆動部と、
前記被駆動部を前記スカムパイプの回動方向に駆動するように前記被駆動部に係合しながら回動する回動部と、
前記回動部を回動させる駆動源と、を有することを特徴とするスカムスキマー。
【請求項２】
前記被駆動部は、前記スカムパイプに固定され前記スカムパイプの回動方向に延在する固定チェーンを含み、
前記回動部は、前記固定チェーンに噛み合って回動するスプロケットを含むことを特徴とする請求項１に記載のスカムスキマー。
【請求項３】
導入された排水中の汚泥を沈殿させて除去する沈殿槽において、
請求項１又は２に記載のスカムスキマーを備え、
前記排水の液面に浮遊するスカムを、前記スカムスキマーによって除去することを特徴とする沈殿槽。
【発明の詳細な説明】
【技術分野】
【０００１】
本発明は、排水の液面に浮遊するスカムを、スカムパイプに取り込んで液面から除去するスカムスキマー及び沈殿槽に関するものである。
【背景技術】
【０００２】
従来、このような分野の技術として、下記特許文献１に記載の沈殿槽が知られている。この文献に記載された沈殿槽のスカムスキマーは、沈殿槽の排水の液面に設けられたスカムパイプを備えている。このスカムパイプには、スカムを流入させるための流入孔が形成されており、このスカムパイプを管軸回りに回動させ液面下に流入孔を移動させることで、液面に浮遊するスカムが流入孔からパイプ内に流入する。そして、このスカムパイプを通じてスカムが沈殿槽外へ排出される。このようにスカムパイプを回動させるためには、例えば、スカムパイプ側面に設けられたレバーを電動シリンダで昇降操作することが考えられる。
【特許文献１】特開２００２−６６５５１号公報
【発明の開示】
【発明が解決しようとする課題】
【０００３】
しかしながら、電動シリンダは複雑な構造を有するため、一般的に高価である。このため、スカムパイプの回動機構として電動シリンダを用いると、スカムスキマーのコストダウンの障害になってしまう。そこで、本発明は、簡単な構造でスカムパイプの回動を可能にし、コストダウンを図ることができるスカムスキマー及び沈殿槽を提供することを目的とする。
【課題を解決するための手段】
【０００４】
本発明に係るスカムスキマーは、排水の液面に浮遊するスカムを、液面に沿って水平に延在するスカムパイプに取り込んで液面から除去するスカムスキマーにおいて、スカムを内部に流入させるための流入孔が形成されたスカムパイプと、流入孔を通じてスカムがスカムパイプの内部に流入するように、スカムパイプを管軸の回りで回動させるパイプ駆動装置と、を備え、パイプ駆動装置は、スカムパイプに固定されスカムパイプの回動方向に沿って設けられた被駆動部と、被駆動部をスカムパイプの回動方向に駆動するように被駆動部に係合しながら回動する回動部と、回動部を回動させる駆動源と、を有することを特徴とする。
【０００５】
このスカムスキマーにおいては、排水の液面に沿って水平に延在するように設けられたスカムパイプが管軸の回りで回動し、液面のスカムが流入孔を通じてスカムパイプに流入する。このスカムパイプを回動させるパイプ駆動装置は、被駆動部、回動部、及び駆動源を有している。この駆動源が回動部を回動させると、この回動部に契合した被駆動部がスカムパイプの回動方向に移動し、その被駆動部に固定されたスカムパイプが回動することになる。このように、上記スカムスキマーによれば、簡単な構造によってスカムパイプの回動を実現することができる。
【０００６】
また、被駆動部は、スカムパイプに固定されスカムパイプの回動方向に延在する固定チェーンを含み、回動部材は、固定チェーンに噛み合って回動するスプロケットを含むことが好ましい。この構成では、駆動力の伝達のためにスプロケットと固定チェーンとの組合せを採用しているので、駆動力の伝達部において、高い寸法精度や高い設置精度が要求されない。従って、駆動力の伝達部の作製を容易にすることができる。
【０００７】
また、本発明の沈殿槽は、導入された排水中の汚泥を沈殿させて除去する沈殿槽において、上記のスカムスキマーを備え、排水の液面に浮遊するスカムを、このスカムスキマーによって除去することを特徴とする。この沈殿槽は、スカムパイプを簡単な機構で回動させる上記スカムスキマーによって、排水の液面のスカムを除去することができる。
【発明の効果】
【０００８】
本発明のスカムスキマー及び沈殿槽によれば、簡単な構造でスカムパイプの回動を可能にし、コストダウンを図ることができる。
【発明を実施するための最良の形態】
【０００９】
以下、図面を参照しつつ本発明に係るスカムスキマー及び沈殿槽の好適な実施形態について詳細に説明する。
【００１０】
図１及び図２に示す沈殿槽１は、下水処理場において、最初沈殿槽又は最終沈殿槽として使用されるものであり、導入した下水から汚泥を沈殿させて除去するためのチェーンフライト式沈殿槽である。この沈殿槽１では、上流側に設けられた導入口３から下水槽４に下水が導入され、この下水に含まれる汚泥が重力沈降によって下水槽４の底部に堆積する。この沈殿槽１は、下水の液面Ｈ下で一対の無端チェーン５ａをＡ方向に回転させるチェーンコンベア５を備えている。そして、この一対の無端チェーン５ａには、板状のフライト５ｂが両側の無端チェーン５ａ間に架け渡されるように等間隔に取り付けられている。下水槽４の底部に堆積した汚泥は、チェーンの回転に伴って移動するフライト５ｂによって、汚泥溜まり部９に向けて掻き寄せられる。そして、汚泥溜まり部９に集められた汚泥は、排出部１１を通じて沈殿槽１外に排出される。一方、下水の上澄みは、下流側に設けられた流出樋１３に溢れ出し、汚泥が取り除かれた処理水として排出口１５を通じて排出される。
【００１１】
このような沈殿槽１では、下水槽４の下水の液面Ｈには発生したスカムが浮遊するので、このスカムが下水と一緒に流出樋１３に溢れ出る可能性がある。スカムが流出樋１３に溢れ出ると、処理水にスカムが混入し処理水の水質が低下することになるので、このようなスカムの流出を抑制する必要がある。このため、最初沈殿槽１は、液面Ｈからスカムを除去するためのスカムスキマー２０を備えている。このスカムスキマー２０は、流出樋１３よりも上流側に配置され、下水槽４を幅方向に横切るように液面Ｈに沿って水平に延在するスカムパイプ２１を備えている。
【００１２】
図３及び図４に示すように、断面円形のスカムパイプ２１の下部は、下から３分の２程度の高さまで液面Ｈよりも下に没し、残りの上部が液面Ｈよりも上に露出するように配置されている。このスカムパイプ２１の一端側は、下水槽４の側壁の外側を貫通しており、端部２１ｅが下水槽４の外側に設けられたスカムピット２３に向けて開口している。このようなスカムパイプ２１によって、液面Ｈに浮遊するスカムＳがせき止められるので、スカムはスカムパイプ２１の上流側に溜まり、流出樋１３へのスカムＳの流出を抑制することができる。また、スカムパイプ２１の上部には、パイプ内部に貫通するように形成された流入孔２１ａが、スカムパイプ２１の延在方向に等間隔で複数配列されている。この流入孔２１ａの断面は、スカムパイプ２１の管軸Ｂを中心として約６０°の中心角を有する扇形をなしている。また、通常の状態では、この流入孔２１ａの下端は、液面Ｈよりも上に位置しているので、スカムパイプ２１内にスカム及び下水は流入しない。
【００１３】
このスカムパイプ２１は、管軸Ｂの回りに回動可能であるように、下水槽４の両側壁に支持されている。そして、図５に示すように、スカムパイプ２１が、後述する駆動装置２５により管軸Ｂを中心として反時計回りに３５〜４０度回動すると、その回動によって流入孔２１ａが上流側に移動する。そして、流入孔２１ａの下端が液面Ｈよりも下に没するので、流入孔２１ａを通じてスカムパイプ２１内に下水が流入することになる。このとき、スカムパイプ２１の上流側で液面Ｈに浮遊するスカムＳが、下水と一緒にスカムパイプ２１内に取り込まれ、スカムパイプ２１の内部を通じ、端部２１ｅからスカムピット２３に排出される。
【００１４】
また、このとき、図１に示すように、スカムパイプ２１よりも上流側の液面Ｈにおいては、前述のチェーンコンベア５のフライト５ｂがスカムパイプ２１に向かって移動している。従って、この液面Ｈのスカムが、フライト５ｂによりスカムパイプ２１に向かって掻き寄せられ、効率的にスカムパイプ２１内に流入する。そして、スカムピット２３に集められたスカムは、図示しない排出ラインによって、沈殿槽１の外に排出される。このように、スカムスキマー２０によって、下水の液面Ｈに浮遊するスカムが液面Ｈから取り除かれ、処理水へのスカムの混入が抑制される。なお、以上のようなスカム除去の処理は、沈殿槽１の運転中において、１時間に１回程度の頻度で行われる。
【００１５】
続いて、図３〜図５を参照しながら、スカムパイプ２１を回動させる上記の駆動装置２５について説明する。図に示すように、スカムパイプ２１の周囲には、フランジ２１ｂが設けられており、このフランジ２１ｂには扇状アダプタ２９がボルト止めされている。この扇状アダプタ２９は、管軸Ｂを中心とする中心角約６０°の扇形をなしており、流入孔２１ａの位置に対して下流側に約３０°ずれた位置に設けられている。扇状アダプタ２９の端部には、取り付け台３１を介して、固定チェーン（被駆動部）３３が取り付けられている。この固定チェーン３３は、管軸Ｂを中心とする円弧に沿って湾曲し、リンクプレートに設けられたアタッチメントによって取り付け台３１にボルト止めされている。このような固定チェーン３３としては、通常のアタッチメント付きのローラチェーンを用いることができる。
【００１６】
一方、下水槽４の側壁上側には、モータ及びサイクロ変速機を含む駆動源３７が固定されており、この駆動源３７の回転軸には、ピンギアスプロケット（回動部）３９が固定されている。そして、このピンギアスプロケット３９は、上記の固定チェーン３３と噛み合っている。以上のような構成に基づき、駆動源３７によってピンギアスプロケット３９が図４における時計回りに回転されると、このピンギアスプロケット３９と噛み合った固定チェーン３３が、管軸Ｂを中心にして反時計回りに回動することになる。それに伴い、固定チェーン３３、扇状アダプタ２９、及びスカムパイプ２１が全体として管軸Ｂを中心に反時計回りに回動し、流入孔２１ａが上流側に移動する。そして、スカムパイプ２１の上流側で液面Ｈに浮遊するスカムが、下水と一緒に流入孔２１ａを通じスカムパイプ２１内部へ流入する。
【００１７】
ここで、上記扇状アダプタ２９は、流入孔２１ａの位置に対して下流側にずれた位置に設けられているので、流入孔２１ａの下端が上流側で液面Ｈよりも下に移動するようにスカムパイプ２１を回動させた場合にも、固定チェーン３３の全体が液面Ｈよりも上に位置する。このため、固定チェーン３３が下水中に没し固定チェーン３３やピンギアスプロケット３９にスカムＳが絡み付くことが抑制される。以上のように、固定チェーン３３、ピンギアスプロケット３９、及び駆動源３７は、駆動装置２５を構成し、スカムパイプ２１を回動させる機能を有している。
【００１８】
上記のスカムスキマー２０は、電動シリンダ等の複雑な機器を用いることなく、上述したような簡単な機構の駆動装置２５によってスカムパイプ２１の回動を実現しているので、コストダウンを図ることができると共に、装置の小型化も容易になる。また、駆動装置２５では、駆動源３７の回転をスカムパイプ２１に伝達するための機構として、ピンギアスプロケット３９と固定チェーン３３との組合せを採用している。この噛み合わせは、例えば、歯車同士の噛み合わせ等を採用する場合に比較して、高い寸法精度や高い設置精度が要求されないので、回転の伝達部の作製を容易にすることができ、コストダウンに貢献することができる。また、スカムパイプ２１を手動で回動させる必要もないので、スカム除去の処理における煩雑な手作業を避けることができる。
【００１９】
また、上記のスカムスキマー２０においては、扇状アダプタ２９及び固定チェーン３３が液面Ｈよりも上に設けられ、スカムパイプ２１が回動した場合にも液面Ｈの下に没しない。従って、液面Ｈに浮遊するスカムが固定チェーン３３に絡み付くことが避けられ、駆動装置２５のメンテナンスが容易になる。
【図面の簡単な説明】
【００２０】
【図１】本発明に係る沈殿槽の一実施形態を示す断面図である。
【図２】図１に示す沈殿槽において、駆動装置及び下水槽の上部を取り去った状態の平面図である。
【図３】図１の沈殿槽が備えるスカムスキマーの側面図である。
【図４】図３のスカムスキマーの正面図である。
【図５】図３のスカムスキマーにおける、スカム除去の処理中の状態を示す正面図である。
【符号の説明】
【００２１】
１…沈殿槽、２０…スカムスキマー、２１…スカムパイプ、２１ａ…流入孔、２５…駆動装置、３３…固定チェーン（被駆動部）、３７…駆動源、３９…ピンギアスプロケット（回動部）、Ｂ…管軸、Ｈ…液面。
【図１】
2007152287.tif 000003
【図２】
2007152287.tif 000004
【図３】
2007152287.tif 000005
【図４】
2007152287.tif 000006
【図５】
2007152287.tif 000007